(57)【要約】【課題】  近距離無線通信に基づいて近くの知人を把握するための方法とシステム、および非一時的なコンピュータ読み取り可能な記録媒体を開示する。【解決手段】  近距離無線通信に基づいて近くの知人を把握するための方法は、近距離無線通信を利用して他の電子機器を識別するための機器識別子を収集する段階、前記収集された機器識別子のうちの少なくとも一部の機器識別子をサーバに伝達し、前記サーバから、前記伝達された機器識別子に対応するＳＮＳアカウントであるソーシャル識別子を取得する段階、および前記取得したソーシャル識別子を前記電子機器のインタフェースで提供する段階を含む。
2021532441.tif 000002
【特許請求の範囲】
【請求項１】
電子機器が実行する方法であって、
前記電子機器は、メモリに含まれるコンピュータ読み取り可能な命令を実行するように構成された少なくとも１つのプロセッサを含み、
前記方法は、
前記少なくとも１つのプロセッサにより、近距離無線通信を利用して他の電子機器を識別するための機器識別子を収集する段階、
前記少なくとも１つのプロセッサにより、前記収集された機器識別子のうちの少なくとも一部の機器識別子をサーバに伝達し、前記サーバから、前記伝達された機器識別子に対応するＳＮＳアカウントであるソーシャル識別子を取得する段階、および
前記少なくとも１つのプロセッサにより、前記取得したソーシャル識別子を前記電子機器のインタフェースで提供する段階
を含む、方法。
【請求項２】
前記収集する段階は、
一定の時間単位を周期とし、周期ごとに収集された機器識別子リストを該当の周期の時間情報と関連付けて格納する段階
を含む、請求項１に記載の方法。
【請求項３】
前記収集する段階は、
前記近距離無線通信を介して同じ周期に前記他の電子機器で収集した機器識別子を前記他の電子機器から追加で収集する段階
を含む、請求項２に記載の方法。
【請求項４】
前記収集する段階は、
前記周期ごとに収集された機器識別子リストに対し、前記電子機器で取得した位置情報をさらに含んで格納する段階
をさらに含む、請求項２に記載の方法。
【請求項５】
前記取得する段階は、
前記電子機器のユーザが特定した検索条件に基づき、前記収集された機器識別子のうちで前記検索条件に対応する前記少なくとも一部の機器識別子を前記サーバに伝達する段階
を含む、請求項１に記載の方法。
【請求項６】
前記サーバでは、ＳＮＳを利用する各ユーザの機器識別子とソーシャル識別子とをマッチングした識別子ペアを含む識別子マッチングテーブルを維持し、前記識別子マッチングテーブルから、前記電子機器から伝達された機器識別子に対応するソーシャル識別子を検出して前記電子機器に提供する、請求項１に記載の方法。
【請求項７】
前記サーバでは、前記検出されたソーシャル識別子のうちから前記電子機器のユーザのＳＮＳ関係に対応するソーシャル識別子を選別して前記電子機器に提供する、請求項６に記載の方法。
【請求項８】
前記サーバでは、前記検出されたソーシャル識別子のうちから前記電子機器のユーザが設定した範囲のＳＮＳ関係に対応するソーシャル識別子を選別して前記電子機器に提供する、請求項６に記載の方法。
【請求項９】
前記提供する段階は、
前記取得したソーシャル識別子を、各ソーシャル識別子に対応する機器識別子が格納された時間を基準にグルーピングして表示する段階
を含む、請求項１に記載の方法。
【請求項１０】
前記方法は、
前記少なくとも１つのプロセッサにより、前記収集された機器識別子に関する統計情報を算出する段階
をさらに含み、
前記提供する段階は、
前記取得したソーシャル識別子を、各ソーシャル識別子に対応する機器識別子の統計情報を基準に整列して表示する段階
を含む、請求項１に記載の方法。
【請求項１１】
前記提供する段階は、
前記インタフェースから選択された少なくとも１つのソーシャル識別子を利用してＳＮＳ内の機能やＳＮＳと連係可能なサービスを提供する段階
を含む、請求項１に記載の方法。
【請求項１２】
請求項１〜１１のうちのいずれか一項に記載の方法をコンピュータに実行させるためのプログラムが記録されている、非一時的なコンピュータ読み取り可能な記録媒体。
【請求項１３】
電子機器であって、
メモリ、および
前記メモリに接続され、前記メモリに含まれるコンピュータ読み取り可能な命令を実行するように構成された少なくとも１つのプロセッサ
を含み、
前記少なくとも１つのプロセッサは、
近距離無線通信を利用して他の電子機器を識別するための機器識別子を収集する機器識別子収集部、
前記収集された機器識別子のうちの少なくとも一部の機器識別子をサーバに伝達し、前記サーバから、前記伝達された機器識別子に対応するＳＮＳアカウントであるソーシャル識別子を取得するソーシャル識別子取得部、および
前記取得したソーシャル識別子を前記電子機器のインタフェースで提供するソーシャル識別子提供部
を備える、電子機器。
【請求項１４】
前記機器識別子収集部は、
一定の時間単位を周期とし、周期ごとに収集された機器識別子リストを該当の周期の時間情報と関連付けて格納し、
前記近距離無線通信を介して同じ周期に前記他の電子機器で収集した機器識別子を前記他の電子機器から追加で収集する、請求項１３に記載の電子機器。
【請求項１５】
前記ソーシャル識別子取得部は、
前記電子機器のユーザが特定した検索条件に基づき、前記収集された機器識別子のうちで前記検索条件に対応する前記少なくとも一部の機器識別子を前記サーバに伝達する、請求項１３に記載の電子機器。
【請求項１６】
前記サーバでは、ＳＮＳを利用する各ユーザの機器識別子とソーシャル識別子とをマッチングした識別子ペアを含む識別子マッチングテーブルを維持し、前記識別子マッチングテーブルから、前記電子機器から伝達された機器識別子に対応するソーシャル識別子を検出して前記電子機器に提供する、請求項１３に記載の電子機器。
【請求項１７】
前記サーバでは、前記検出されたソーシャル識別子のうちから前記電子機器のユーザのＳＮＳ関係に対応するソーシャル識別子を選別して前記電子機器に提供する、請求項１６に記載の電子機器。
【請求項１８】
前記ソーシャル識別子提供部は、
前記取得したソーシャル識別子を、各ソーシャル識別子に対応する機器識別子が格納された時間を基準にグルーピングして表示する、請求項１３に記載の電子機器。
【請求項１９】
前記機器識別子収集部は、
前記収集された機器識別子に関する統計情報を算出し、
前記ソーシャル識別子提供部は、
前記取得したソーシャル識別子を、各ソーシャル識別子に対応する機器識別子の統計情報を基準に整列して表示する、請求項１３に記載の電子機器。
【請求項２０】
前記ソーシャル識別子提供部は、
前記インタフェースから選択された少なくとも１つのソーシャル識別子を利用してＳＮＳ内の機能やＳＮＳと連係可能なサービスを提供する、請求項１３に記載の電子機器。
【発明の詳細な説明】
【技術分野】
【０００１】
以下の説明は、近くの知人を探す技術に関する。
【背景技術】
【０００２】
一般的なコミュニケーションツールであるインスタントメッセンジャー（ｉｎｓｔａｎｔ  ｍｅｓｓｅｎｇｅｒ）は、メッセージやデータをリアルタイムで送受信することのできるソフトウェアであって、ユーザがメッセンジャー上に会話の相手を登録すると、会話リストに登録された相手とリアルタイムでメッセージをやり取りすることができる。
【０００３】
このようなメッセンジャー機能は、ＰＣはもちろん、移動通信端末のモバイル環境でもその使用が普遍化している。
【０００４】
例えば、韓国公開特許第１０−２００２−００７４３０４号公報（公開日２００２年９月３０日）には、携帯端末機にインストールされたモバイルメッセンジャー間にメッセンジャーサービスを提供することができるようにした、無線通信網を利用した携帯端末機のモバイルメッセンジャーサービスシステムおよび方法が開示されている。
【先行技術文献】
【特許文献】
【０００５】
【特許文献１】韓国公開特許第１０−２００２−００７４３０４号公報
【発明の概要】
【発明が解決しようとする課題】
【０００６】
近距離無線通信とＳＮＳ（ｓｏｃｉａｌ  ｎｅｔｗｏｒｋ  ｓｅｒｖｉｃｅ）関係を利用して近くの知人を把握し、これを利用して多様な機能やサービスを提供することを目的とする。
【課題を解決するための手段】
【０００７】
電子機器が実行する方法であって、前記電子機器は、メモリに含まれるコンピュータ読み取り可能な命令を実行するように構成された少なくとも１つのプロセッサを含み、前記方法は、前記少なくとも１つのプロセッサにより、近距離無線通信を利用して他の電子機器を識別するための機器識別子を収集する段階、前記少なくとも１つのプロセッサにより、前記収集された機器識別子のうちの少なくとも一部の機器識別子をサーバに伝達し、前記サーバから、前記伝達された機器識別子に対応するＳＮＳアカウントであるソーシャル識別子を取得する段階、および前記少なくとも１つのプロセッサにより、前記取得したソーシャル識別子を前記電子機器のインタフェースで提供する段階を含む方法を提供する。
【０００８】
一側面によると、前記収集する段階は、一定の時間単位を周期とし、周期ごとに収集された機器識別子リストを該当の周期の時間情報と関連付けて格納する段階を含んでよい。
【０００９】
他の側面によると、前記収集する段階は、前記近距離無線通信を介して同じ周期に前記他の電子機器が収集した機器識別子を前記他の電子機器から追加で収集する段階を含んでよい。
【００１０】
また他の側面によると、前記収集する段階は、前記周期ごとに収集された機器識別子リストに対し、前記電子機器で取得した位置情報をさらに含んで格納する段階をさらに含んでよい。
【００１１】
また他の側面によると、前記取得する段階は、前記電子機器のユーザが特定した検索条件に基づき、前記収集された機器識別子のうちで前記検索条件に対応する前記少なくとも一部の機器識別子を前記サーバに伝達する段階を含んでよい。
【００１２】
また他の側面によると、前記サーバでは、ＳＮＳを利用する各ユーザの機器識別子とソーシャル識別子とをマッチングした識別子ペアを含む識別子マッチングテーブルを維持し、前記識別子マッチングテーブルから、前記電子機器から伝達された機器識別子に対応するソーシャル識別子を検出して前記電子機器に提供してよい。
【００１３】
また他の側面によると、前記サーバでは、前記検出されたソーシャル識別子のうちから前記電子機器のユーザのＳＮＳ関係に対応するソーシャル識別子を選別して前記電子機器に提供してよい。
【００１４】
また他の側面によると、前記サーバでは、前記検出されたソーシャル識別子のうちから前記電子機器のユーザが設定した範囲のＳＮＳ関係に対応するソーシャル識別子を選別して前記電子機器に提供してよい。
【００１５】
また他の側面によると、前記提供する段階は、前記取得したソーシャル識別子を、各ソーシャル識別子に対応する機器識別子が格納された時間を基準にグルーピングして表示する段階を含んでよい。
【００１６】
また他の側面によると、前記方法は、前記少なくとも１つのプロセッサにより、前記収集された機器識別子に関する統計情報を算出する段階をさらに含み、前記提供する段階は、前記取得したソーシャル識別子を、各ソーシャル識別子に対応する機器識別子の統計情報を基準に整列して表示する段階を含んでよい。
【００１７】
また他の側面によると、前記提供する段階は、前記インタフェースから選択された少なくとも１つのソーシャル識別子を利用してＳＮＳ内の機能やＳＮＳと連係可能なサービスを提供する段階を含んでよい。
【００１８】
前記方法をコンピュータに実行させるためのプログラムが記録されている非一時的なコンピュータ読み取り可能な記録媒体を提供する。
【００１９】
電子機器であって、メモリ、および前記メモリに接続され、前記メモリに含まれるコンピュータ読み取り可能な命令を実行するように構成された少なくとも１つのプロセッサを含み、前記少なくとも１つのプロセッサは、近距離無線通信を利用して他の電子機器を識別するための機器識別子を収集する機器識別子収集部、前記収集された機器識別子のうちの少なくとも一部の機器識別子をサーバに伝達し、前記サーバから、前記伝達された機器識別子に対応するＳＮＳアカウントであるソーシャル識別子を取得するソーシャル識別子取得部、および前記取得したソーシャル識別子を前記電子機器のインタフェースで提供するソーシャル識別子取得部を備える、電子機器を提供する。
【図面の簡単な説明】
【００２０】
【図１】本発明の一実施形態における、ネットワーク環境の例を示した図である。
【図２】本発明の一実施形態における、電子機器およびサーバの内部構成を説明するためのブロック図である。
【図３】本発明の一実施形態における、電子機器のプロセッサが含むことのできる構成要素の例を示したブロック図である。
【図４】本発明の一実施形態における、電子機器が実行することのできる方法の例を示したフローチャートである。
【図５】本発明の一実施形態における、機器識別子を収集する過程を説明するための例示図である。
【図６】本発明の一実施形態における、機器識別子を収集する過程を説明するための例示図である。
【図７】本発明の一実施形態における、識別子マッチングテーブルを示した例示図である。
【図８】本発明の一実施形態における、ソーシャル識別子を取得する過程を説明するための例示図である。
【図９】本発明の一実施形態における、ソーシャル識別子を取得する過程を説明するための例示図である。
【図１０】本発明の一実施形態における、ソーシャル識別子を提供する過程を説明するための例示図である。
【図１１】本発明の一実施形態における、ソーシャル識別子を提供する過程を説明するための例示図である。
【図１２】本発明の一実施形態における、ソーシャル識別子を取得する過程を説明するための他の例示図である。
【図１３】本発明の一実施形態における、ソーシャル識別子を提供する過程を説明するための他の例示図である。
【発明を実施するための形態】
【００２１】
以下、本発明の実施形態について、添付の図面を参照しながら詳しく説明する。
【００２２】
本発明の実施形態は、近くの知人を探す技術に関し、より詳細には、近距離無線通信とＳＮＳ関係を利用して近くの知人を把握する技術に関する。
【００２３】
本明細書で具体的に開示される事項を含む実施形態は、近距離無線通信とＳＮＳ関係を利用して近くの知人を把握することができ、これにより、効率性、利便性、使用性、サービス拡張、費用節減などの側面において相当な長所を達成することができる。
【００２４】
図１は、本発明の一実施形態における、ネットワーク環境の例を示した図である。図１のネットワーク環境は、複数の電子機器１１０、１２０、１３０、１４０、複数のサーバ１５０、１６０、およびネットワーク１７０を含む例を示している。このような図１は、発明の説明のための一例に過ぎず、電子機器の数やサーバの数が図１のように限定されることはない。
【００２５】
複数の電子機器１１０、１２０、１３０、１４０は、コンピュータシステムによって実現される固定端末や移動端末であってよい。複数の電子機器１１０、１２０、１３０、１４０の例としては、スマートフォン、携帯電話、ナビゲーション、ＰＣ（ｐｅｒｓｏｎａｌ  ｃｏｍｐｕｔｅｒ）、ノート型ＰＣ、デジタル放送用端末、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、タブレット、ゲームコンソール、ウェアラブルデバイス、ＩｏＴ（ｉｎｔｅｒｎｅｔ  ｏｆ  ｔｈｉｎｇｓ）デバイス、ＶＲ（ｖｉｒｔｕａｌ  ｒｅａｌｉｔｙ）デバイス、ＡＲ（ａｕｇｍｅｎｔｅｄ  ｒｅａｌｉｔｙ）デバイスなどがある。一例として、図１では、電子機器１１０の例としてスマートフォンを示しているが、本発明の実施形態において、電子機器１１０は、実質的に無線または有線通信方式を利用し、ネットワーク１７０を介して他の電子機器１２０、１３０、１４０および／またはサーバ１５０、１６０と通信することのできる多様な物理的なコンピュータシステムのうちの１つを意味してよい。
【００２６】
通信方式が限定されることはなく、ネットワーク１７０が含むことのできる通信網（一例として、移動通信網、有線インターネット、無線インターネット、放送網、衛星網など）を利用する通信方式だけではなく、機器間の近距離無線通信が含まれてもよい。例えば、ネットワーク１７０は、ＰＡＮ（ｐｅｒｓｏｎａｌ  ａｒｅａ  ｎｅｔｗｏｒｋ）、ＬＡＮ（ｌｏｃａｌ  ａｒｅａ  ｎｅｔｗｏｒｋ）、ＣＡＮ（ｃａｍｐｕｓ  ａｒｅａ  ｎｅｔｗｏｒｋ）、ＭＡＮ（ｍｅｔｒｏｐｏｌｉｔａｎ  ａｒｅａ  ｎｅｔｗｏｒｋ）、ＷＡＮ（ｗｉｄｅ  ａｒｅａ  ｎｅｔｗｏｒｋ）、ＢＢＮ（ｂｒｏａｄｂａｎｄ  ｎｅｔｗｏｒｋ）、インターネットなどのネットワークのうちの１つ以上の任意のネットワークを含んでよい。さらに、ネットワーク１７０は、バスネットワーク、スターネットワーク、リングネットワーク、メッシュネットワーク、スター−バスネットワーク、ツリーまたは階層的ネットワークなどを含むネットワークトポロジのうちの任意の１つ以上を含んでもよいが、これらに限定されることはない。
【００２７】
サーバ１５０、１６０それぞれは、複数の電子機器１１０、１２０、１３０、１４０とネットワーク１７０を介して通信して命令、コード、ファイル、コンテンツ、サービスなどを提供する１つ以上のコンピュータ装置によって実現されてよい。例えば、サーバ１５０は、ネットワーク１７０を介して接続した複数の電子機器１１０、１２０、１３０、１４０に第１サービスを提供するシステムであってよく、サーバ１６０も、ネットワーク１７０を介して接続した複数の電子機器１１０、１２０、１３０、１４０に第２サービスを提供するシステムであってよい。より具体的な例として、サーバ１５０は、複数の電子機器１１０、１２０、１３０、１４０においてインストールされて実行されるコンピュータプログラムであるアプリケーションを通じ、該当のアプリケーションが目的とするサービス（一例として、ＳＮＳなど）を第１サービスとして複数の電子機器１１０、１２０、１３０、１４０に提供してよい。他の例として、サーバ１６０は、上述したアプリケーションのインストールおよび実行のためのファイルを複数の電子機器１１０、１２０、１３０、１４０に配布するサービスを第２サービスとして提供してよい。
【００２８】
図２は、本発明の一実施形態における、電子機器およびサーバの内部構成を説明するためのブロック図である。図２では、電子機器に対する例として電子機器１１０の内部構成およびサーバ１５０の内部構成について説明する。また、他の電子機器１２０、１３０、１４０やサーバ１６０も、上述した電子機器１１０またはサーバ１５０と同一または類似の内部構成を有してよい。
【００２９】
電子機器１１０およびサーバ１５０は、メモリ２１１、２２１、プロセッサ２１２、２２２、通信モジュール２１３、２２３、および入力／出力インタフェース２１４、２２４を含んでよい。メモリ２１１、２２１は、非一時的なコンピュータ読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、ディスクドライブ、ＳＳＤ（ｓｏｌｉｄ  ｓｔａｔｅ  ｄｒｉｖｅ）、フラッシュメモリ（ｆｌａｓｈ  ｍｅｍｏｒｙ）などのような永続的大容量記録装置を含んでよい。ここで、ＲＯＭ、ＳＳＤ、フラッシュメモリ、ディスクドライブのような永続的大容量記録装置は、メモリ２１１、２２１とは区分される別の永続的記録装置として電子機器１１０やサーバ１５０に含まれてもよい。また、メモリ２１１、２２１には、オペレーティングシステムと、少なくとも１つのプログラムコード（一例として、電子機器１１０においてインストールされて実行されるブラウザや、特定のサービスの提供のために電子機器１１０にインストールされたアプリケーションなどのためのコード）が記録されてよい。このようなソフトウェア構成要素は、メモリ２１１、２２１とは別のコンピュータ読み取り可能な記録媒体からロードされてよい。このような別のコンピュータ読み取り可能な記録媒体は、フロッピードライブ、ディスク、テープ、ＤＶＤ／ＣＤ−ＲＯＭドライブ、メモリカードなどのコンピュータ読み取り可能な記録媒体を含んでよい。他の実施形態において、ソフトウェア構成要素は、コンピュータ読み取り可能な記録媒体ではない通信モジュール２１３、２２３を通じてメモリ２１１、２２１にロードされてもよい。例えば、少なくとも１つのプログラムは、開発者またはアプリケーションのインストールファイルを配布するファイル配布システム（一例として、上述したサーバ１６０）がネットワーク１７０を介して提供するファイルによってインストールされるコンピュータプログラム（一例として、上述したアプリケーション）に基づいてメモリ２１１、２２１にロードされてよい。
【００３０】
プロセッサ２１２、２２２は、基本的な算術、ロジック、および入出力演算を実行することにより、コンピュータプログラムの命令を処理するように構成されてよい。命令は、メモリ２１１、２２１または通信モジュール２１３、２２３によって、プロセッサ２１２、２２２に提供されてよい。例えば、プロセッサ２１２、２２２は、メモリ２１１、２２１のような記録装置に記録されたプログラムコードにしたがって受信される命令を実行するように構成されてよい。
【００３１】
通信モジュール２１３、２２３は、ネットワーク１７０を介して電子機器１１０とサーバ１５０とが互いに通信するための機能を提供してもよいし、電子機器１１０および／またはサーバ１５０が他の電子機器（一例として、電子機器１２０）または他のサーバ（一例として、サーバ１６０）と通信するための機能を提供してもよい。一例として、電子機器１１０のプロセッサ２１２がメモリ２１１のような記録装置に記録されたプログラムコードにしたがって生成した要求が、通信モジュール２１３の制御にしたがってネットワーク１７０を介してサーバ１５０に伝達されてよい。これとは逆に、サーバ１５０のプロセッサ２２２の制御にしたがって提供される制御信号や命令、コンテンツ、ファイルなどが、通信モジュール２２３とネットワーク１７０を経て電子機器１１０の通信モジュール２１３を通じて電子機器１１０に受信されてよい。例えば、通信モジュール２１３を通じて受信されたサーバ１５０の制御信号や命令、コンテンツ、ファイルなどは、プロセッサ２１２やメモリ２１１に伝達されてよく、コンテンツやファイルなどは、電子機器１１０がさらに含むことのできる記録媒体（上述した永続的記録装置）に記録されてよい。
【００３２】
入力／出力インタフェース２１４は、入力／出力装置２１５とのインタフェースのための手段であってよい。例えば、入力装置は、キーボード、マウス、マイクロフォン、カメラなどの装置を、出力装置は、ディスプレイ、スピーカ、触覚フィードバックデバイスなどのような装置を含んでよい。他の例として、入力／出力インタフェース２１４は、タッチスクリーンのように入力と出力のための機能が１つに統合された装置とのインタフェースのための手段であってもよい。入力／出力装置２１５は、電子機器１１０と１つの装置で構成されてもよい。また、サーバ１５０の入力／出力インタフェース２２４は、サーバ１５０に接続するかサーバ１５０が含むことのできる入力または出力のための装置（図示せず）とのインタフェースのための手段であってよい。より具体的な例として、電子機器１１０のプロセッサ２１２がメモリ２１１にロードされたコンピュータプログラムの命令を処理するにあたり、サーバ１５０や電子機器１２０が提供するデータを利用して構成されるサービス画面やコンテンツが、入力／出力インタフェース２１４を通じてディスプレイに表示されてよい。
【００３３】
また、他の実施形態において、電子機器１１０およびサーバ１５０は、図２の構成要素よりも多くの構成要素を含んでもよい。しかし、大部分の従来技術的構成要素を明確に図に示す必要はない。例えば、電子機器１１０は、上述した入力／出力装置２１５のうちの少なくとも一部を含むように実現されてもよいし、トランシーバ、ＧＰＳ（Ｇｌｏｂａｌ  Ｐｏｓｉｔｉｏｎｉｎｇ  Ｓｙｓｔｅｍ）モジュール、カメラ、各種センサ、データベースなどのような他の構成要素をさらに含んでもよい。より具体的な例として、電子機器１１０がスマートフォンである場合、一般的にスマートフォンが含んでいる加速度センサやジャイロセンサ、カメラモジュール、物理的な各種ボタン、タッチパネルを利用したボタン、入力／出力ポート、振動のための振動器などのような多様な構成要素が、電子機器１１０にさらに含まれるように実現されてよい。
【００３４】
以下では、近距離無線通信に基づいて近くの知人を把握するための方法およびシステムの具体的な実施形態について説明する。
【００３５】
図３は、本発明の一実施形態における、電子機器のプロセッサが含むことのできる構成要素の例を示したブロック図であり、図４は、本発明の一実施形態における、電子機器が実行することのできる方法の例を示したフローチャートである。
【００３６】
本実施形態に係る電子機器１１０には、コンピュータによって実現された近くの知人を把握するシステムが構成されてよい。一例として、近くの知人を把握するシステムは、独立的に動作するプログラム形態で実現されても、特定のアプリケーションのイン−アプリ（ｉｎ−ａｐｐ）形態で構成され、前記特定のアプリケーション上で動作可能なように実現されてもよく、場合によっては、サーバ１５０との連動によってＳＮＳ（メッセンジャーなど）を提供してもよい。
【００３７】
電子機器１１０にインストールされたアプリケーションが提供する命令に基づき、電子機器１１０に実現された近くの知人を把握するシステムは、図４に示した近くの知人を把握する方法を実行してよい。
【００３８】
図４に係る近くの知人を把握する方法を実行するために、電子機器１１０のプロセッサ２１２は、構成要素として、図３に示すように、機器識別子収集部３１０、ソーシャル識別子取得部３２０、およびソーシャル識別子提供部３３０を備えてよい。実施形態によって、プロセッサ２１２の構成要素は、選択的にプロセッサ２１２に含まれても除外されてもよい。また、実施形態によって、プロセッサ２１２の構成要素は、プロセッサ２１２の機能の表現のために分離されても併合されてもよい。
【００３９】
このようなプロセッサ２１２およびプロセッサ２１２の構成要素は、図４の近くの知人把握方法が含む段階４１０〜４４０を実行するように電子機器１１０を制御してよい。例えば、プロセッサ２１２およびプロセッサ２１２の構成要素は、メモリ２１１が含むオペレーティングシステムのコードと、少なくとも１つのプログラムのコードとによる命令（ｉｎｓｔｒｕｃｔｉｏｎ）を実行するように実現されてよい。
【００４０】
ここで、プロセッサ２１２の構成要素は、電子機器１１０に記録されたプログラムコードが提供する命令（一例として、電子機器１１０で実行されたアプリケーションが提供する命令）にしたがってプロセッサ２１２によって実行される、プロセッサ２１２の互いに異なる機能（ｄｉｆｆｅｒｅｎｔ  ｆｕｎｃｔｉｏｎｓ）の表現であってよい。例えば、電子機器１１０が他の電子機器１２０、１３０、１４０の識別子を収集するように上述した命令にしたがって電子機器１１０を制御するプロセッサ２１２の機能的表現として、機器識別子収集部３１０が利用されてよい。
【００４１】
段階４１０で、プロセッサ２１２は、電子機器１１０の制御と関連する命令がロードされたメモリ２１１から必要な命令を読み取ってよい。この場合、前記読み取られた命令は、以下で説明する段階４２０〜４４０をプロセッサ２１２が実行するように制御するための命令を含んでよい。
【００４２】
段階４２０で、機器識別子収集部３１０は、近距離無線通信を利用して他の電子機器１２０、１３０、１４０を識別するための機器識別子を認識および収集してよい。近距離無線通信とは、近距離で互いに接触をせずに情報を伝達することのできる無線通信技術であって、ブルートゥース（Ｂｌｕｅｔｏｏｔｈ）、Ｗｉ−Ｆｉ、ジグビー（Ｚｉｇｂｅｅ）、ＮＦＣ（Ｎｅａｒ  Ｆｉｅｌｄ  Ｃｏｍｍｕｎｉｃａｔｉｏｎ）などが含まれる。例えば、ブルートゥースの場合は、一般属性プロファイル（ＧＡＴＴ）によって電子機器１１０、１２０、１３０、１４０間のブルートゥースのデータを探索して交換する。機器識別子収集部３１０は、電子機器１１０にインストールされたアプリケーションが実行される間、近距離無線通信により、一定の周期ごとに周辺に位置する他の電子機器１２０、１３０、１４０の機器識別子を取得してよい。機器識別子とは、近距離無線通信過程で電子機器１１０、１２０、１３０、１４０を識別するための機器固有の識別情報であって、ＵＵＩＤ（ｕｎｉｖｅｒｓａｌｌｙ  ｕｎｉｑｕｅ  ｉｄｅｎｔｉｆｉｅｒ）を利用するか、ユーザが直接設定したＩＤあるいはサーバ１５０が個別に付与した識別子を利用してよい。一例として、機器識別子収集部３１０は、一定の時間単位を周期とし、周期ごとに収集された機器識別子リストを該当の周期の時間情報と関連付けて格納してよい。このとき、機器識別子収集部３１０は、現在の周期に収集された機器識別子リストと予め格納された以前の周期の機器識別子リストとを比較し、機器識別子リストが同じ場合には格納せず、機器識別子リストが異なる場合には現在の周期に収集された機器識別子リストと該当の周期の時間情報を格納してよい。これは、連続する周期に収集された同じ機器識別子リストの重複格納を避けるためである。また、機器識別子収集部３１０は、周期ごとに収集された機器識別子リストに対し、電子機器１１０が取得した位置情報をさらに含んで格納することも可能である。
【００４３】
段階４３０で、ソーシャル識別子取得部３２０は、電子機器１１０のユーザの要求にしたがい、段階４２０で収集された機器識別子のうちの少なくとも一部の機器識別子をサーバ１５０に伝達し、サーバ１５０から少なくとも一部の機器識別子に対応するソーシャル識別子を取得してよい。ソーシャル識別子とは、電子機器１１０、１２０、１３０、１４０のユーザがＳＮＳを利用するために使用するサービスアカウントであって、ＳＮＳで電子機器１１０、１２０、１３０、１４０のユーザを識別するための固有情報を意味してよい。一例として、ソーシャル識別子取得部３２０は、電子機器１１０のユーザが特定した検索条件（例えば、日付、位置など）に基づき、該当の条件に対応する機器識別子をサーバ１５０に伝達することによってソーシャル識別子を要求してよい。サーバ１５０は、ＳＮＳを利用する各ユーザの機器識別子とソーシャル識別子とをマッチングした識別子ペアを含む識別子マッチングテーブルを事前に格納および維持することが可能であり、電子機器１１０から機器識別子が伝達されると、各機器識別子に対応するソーシャル識別子を識別子マッチングテーブルから検出して電子機器１１０に提供することが可能である。このとき、サーバ１５０は、ＳＮＳでユーザ間に形成されたソーシャル関係（以下、「ＳＮＳ関係」とする）を利用し、電子機器１１０から伝達された機器識別子に対応するソーシャル識別子のうちから電子機器１１０のユーザのＳＮＳ関係に対応するソーシャル識別子を選別して提供してよい。ＳＮＳ関係は、電子機器１１０のユーザと直接的な関係にある友達関係はもちろん、ユーザと直接的な友達関係ではない間接的な友達関係、例えば、ユーザの友達の友達、その人の友達、あるいはユーザが含まれたチャットルームに含まれた他のユーザなどを含んでよく、このとき、各ユーザのソーシャル識別子を検出するための友達範囲は、直接的な友達関係以上として事前に設定されてよい。サーバ１５０は、電子機器１１０から伝達された機器識別子に対応するソーシャル識別子のうちから事前に設定された範囲のＳＮＳ関係に対応するソーシャル識別子を選別して電子機器１１０に提供してよい。
【００４４】
段階４４０で、ソーシャル識別子提供部３３０は、サーバ１５０から取得したソーシャル識別子に基づき、ソーシャル識別子をグルーピングすることのできるインタフェースを経て電子機器１１０のユーザに提供し、前記インタフェースから選択された少なくとも一部のソーシャル識別子を利用してＳＮＳ内の機能やＳＮＳと連係可能なサービスを提供してよい。一例として、ソーシャル識別子提供部３３０は、サーバ１５０から取得したソーシャル識別子を、各ソーシャル識別子に対応する機器識別子が格納された時間単位を基準にグルーピングして表示してよく、グルーピングされたソーシャル識別子グループのうちから電子機器１１０のユーザが少なくとも１つのグループを選択する場合、該当のグループのソーシャル識別子を利用した機能やサービスを提供してよい。他の例として、ソーシャル識別子提供部３３０は、サーバ１５０から取得したソーシャル識別子に対し、各ソーシャル識別子に対応する機器識別子が格納された時間単位、または回数などに関する統計情報に基づいて少なくとも一部のソーシャル識別子を整列して表示してよく、電子機器１１０のユーザが選択した少なくとも１つのソーシャル識別子を利用した機能やサービスを提供してよい。例えば、ソーシャル識別子提供部３３０は、ソーシャル識別子のグルーピング結果または整列結果を利用してチャットルームを生成したり友達を追加したりしてよく、これによってチャットや送金などのサービスを提供してよい。
【００４５】
以下では、近距離無線通信に基づいて過去に近くいた知人を把握する技術について具体的に説明する。
【００４６】
図５〜６は、本発明の一実施形態における、機器識別子を収集する過程を説明するための例示図である。
【００４７】
図５を参照すると、特定の時点（例えば、２０１８年５月１日午前１１時）に電子機器１１０、１２０、１３０のユーザが一緒にいたと仮定すると、機器識別子ａに該当する電子機器１１０は機器識別子ｂとｃを収集し、機器識別子ｂに該当する電子機器１２０は機器識別子ａとｃを収集し、機器識別子ｃに該当する電子機器１３０は機器識別子ａとｂを収集することになる。
【００４８】
図６を参照すると、電子機器１１０と電子機器１３０との間の障害物などによって互いの認識が不可能であると仮定すると、機器識別子ａに該当する電子機器１１０は機器識別子ｂを収集し、機器識別子ｂに該当する電子機器１２０は機器識別子ａとｃを収集し、機器識別子ｃに該当する電子機器１３０は機器識別子ｂを収集することになる。このとき、電子機器１１０、１２０、１３０は、近距離無線通信によって同じ周期に収集した機器識別子を互いに共有することができるので、電子機器１１０は電子機器１２０から機器識別子ｃを追加で収集することが可能になる一方、電子機器１３０も電子機器１２０から機器識別子ａを追加で収集することが可能になる。
【００４９】
機器識別子を共有する過程におけるセキュリティ問題は、次のような方法によって解決可能である。
【００５０】
一例は、クライアント基盤のセキュリティ対策であって、電子機器１１０が電子機器１２０から機器識別子ｃを追加で収集する過程において、電子機器１２０が電子機器１２０のユーザと電子機器１１０のユーザとの関係を優先的に判断した後、機器識別子ｃに対する共有の可否を決定してよい。電子機器１１０、１２０、１３０は、ユーザとＳＮＳ関係にある他のユーザの機器識別子とソーシャル識別子とをマッチングした識別子ペアを含む識別子マッチングテーブルを事前に格納および維持してよく、これを利用して相手との関係（例えば、友達、友達の友達、知らない人など）を判断してよい。電子機器１２０は、電子機器１１０が機器識別子の共有を要求するときに（または、電子機器１１０への機器識別子の共有の可否を判断するときに）、識別子マッチングテーブルに基づいて電子機器１２０のユーザと電子機器１１０のユーザとの関係、または電子機器１３０のユーザと電子機器１１０のユーザとの関係を判断してよい。識別子マッチングテーブルに電子機器１１０の機器識別子ａがない場合、または識別子マッチングテーブルから電子機器１３０のユーザと電子機器１１０のユーザとの間のＳＮＳ関係を確認することができない場合には、サーバ１５０に質問することでＳＮＳ関係を把握してもよい。電子機器１２０は、電子機器１１０のユーザとの関係または電子機器１３０のユーザと電子機器１１０のユーザとの関係により、自身が収集した機器識別子ｃを電子機器１１０に伝達するかを決定してよい。
【００５１】
他の例は、基本的に、近距離無線通信を利用して機器間で機器識別子を互いに共有する方式ではなく、後処理サーバ基盤のセキュリティ対策である。サーバ１５０は、電子機器１１０から特定の時点に収集した機器識別子の伝達を受け、識別子マッチングテーブルから各機器識別子に対応するソーシャル識別子を検出して電子機器１１０に提供するようになるが、このとき、該当の時点の機器識別子リストにある機器、すなわち、電子機器１２０が収集した他の機器に関する識別子情報を追加で検出して電子機器１１０にともに提供してよい。図６を参照すると、電子機器１１０が、２０１８年５月１日時点の１１：００に収集した機器識別子ｂをサーバ１５０に伝達すれば、サーバ１５０は、機器識別子ｂに該当する電子機器１２０から伝達された同じ時点の１１：００に機器識別子があるかを確認してよい。このとき、電子機器１２０から伝達された同じ時点の１１：００に機器識別子がない場合にはこれを電子機器１２０に要求し、電子機器１２０が収集した他の機器に関する識別子情報を受信してよい。このように、電子機器１２０から伝達された同じ時点の１１：００の機器識別子ａ、ｃにより、サーバ１５０は、機器識別子ｃに該当する電子機器１３０も電子機器１１０の近くに存在したことを認知することができる。このとき、サーバ１５０は、機器識別子とソーシャル識別子とをマッチングした識別子ペアを含む識別子マッチングテーブルによって機器識別子ａ、ｂ、ｃに該当する電子機器１１０、１２０、１３０のＳＮＳ関係を把握し、電子機器１２０が収集した他の機器に関する識別子情報を電子機器１１０に伝達するかを決定してよい。
【００５２】
したがって、近くに存在するが障害物によって認識が不可能な機器の場合は、近くの他の機器が認識および収集した機器識別子を共有することにより、近く機器を漏らすことなくすべて収集することができる。
【００５３】
図７は、本発明の一実施形態における、識別子マッチングテーブル７００の例を示した図である。
【００５４】
図７を参照すると、サーバ１５０は、ＳＮＳを利用する各ユーザの機器識別子とソーシャル識別子とをマッチングして識別子マッチングテーブル７００を事前に構築してよい。
【００５５】
機器識別子とは、近距離無線通信過程で電子機器１１０、１２０、１３０、１４０を識別するための機器固有の識別情報であって、機器自体のＵＵＩＤを利用するか、ユーザが直接に設定したＩＤあるいはサーバ１５０が個別に付与した識別子を利用してよい。
【００５６】
ソーシャル識別子とは、電子機器１１０、１２０、１３０、１４０のユーザがＳＮＳを利用するために使用するサービスアカウントであって、ＳＮＳで電子機器１１０、１２０、１３０、１４０のユーザを識別するための固有情報を意味してよい。
【００５７】
サーバ１５０は、識別子マッチングテーブル７００を事前に構築してよく、サーバ１５０または電子機器１１０、１２０、１３０、１４０のユーザによって機器識別子および／またはソーシャル識別子が修正あるいはアップデートされてよい。
【００５８】
図８〜９は、本発明の一実施形態における、ソーシャル識別子を取得する過程を説明するための例示図である。
【００５９】
図８を参照すると、ソーシャル識別子取得部３２０は、機器識別子収集部３１０によって収集されて電子機器１１０の格納空間８００（例えば、メモリ２１１）に格納された機器識別子のうちから電子機器１１０のユーザが入力した検索条件に対応する機器識別子リスト８１０を抽出してよい。例えば、ユーザが「２０１８年５月１日」に収集された機器識別子を検索する場合、ソーシャル識別子取得部３２０は、格納空間８００から、２０１８年５月１日に収集された機器識別子リスト８１０を選択してサーバ１５０に伝達してよい。時間を条件にして検索することの他にも、機器識別子が収集された場所を条件にして検索することも可能である。
【００６０】
サーバ１５０は、電子機器１１０から機器識別子リスト８１０が伝達されると、識別子マッチングテーブル７００から、機器識別子リスト８１０に含まれた各機器識別子に対応するソーシャル識別子を検出することができるようになる。このとき、サーバ１５０は、電子機器１１０のユーザのＳＮＳ関係に対応するソーシャル識別子を選別するようになるが、電子機器１１０のユーザが事前に設定した友達範囲に該当するソーシャル識別子を選別して電子機器１１０に提供してよい。
【００６１】
図９に示すように、電子機器１１０から伝達された機器識別子リスト８１０がｂ〜ｈであるとき、機器識別子リスト８１０に対応するソーシャル識別子リスト９１０からＢ〜Ｈが検出される。このとき、ソーシャル識別子リスト９１０のうちのソーシャル識別子Ｇが、電子機器１１０のユーザが設定した友達範囲に含まれないものであると仮定すれば、機器識別子リスト８１０でソーシャル識別子Ｇを除いた残りのソーシャル識別子Ｂ〜ＦとＨが最終結果として電子機器１１０に伝達される。
【００６２】
図１０〜１１は、本発明の一実施形態における、ソーシャル識別子を提供する過程を説明するための例示図である。
【００６３】
図１０を参照すると、ソーシャル識別子提供部３３０は、電子機器１１０のユーザが検索した条件の機器識別子８１０に対し、電子機器１１０のユーザのＳＮＳ関係に基づいて取得したソーシャル識別子９１０を機器識別子が格納された時間単位でグルーピングした検索結果画面１０００を提供してよい。言い換えれば、ソーシャル識別子提供部３３０は、電子機器１１０のユーザが検索した日付に電子機器１１０のユーザの近くにいた知人を検索結果画面１０００に表示することができる。
【００６４】
ソーシャル識別子提供部３３０は、電子機器１１０のユーザが検索結果画面１０００から少なくとも１つのグループや少なくとも１つのソーシャル識別子を選択する場合、図１１に示すように、提供可能な機能やサービスを含んだメニューリスト１１１０を提供してよく、メニューリスト１１１０からのメニュー選択により、電子機器１１０のユーザが選択したソーシャル識別子をチャットルーム生成、友達追加、送金などに利用してよい。
【００６５】
図１２は、本発明の一実施形態における、ソーシャル識別子を取得する過程を説明するための他の例示図である。
【００６６】
図１２を参照すると、ソーシャル識別子取得部３２０は、機器識別子収集部３１０によって収集されて電子機器１１０上の格納空間８００に格納された機器識別子のうちから電子機器１１０のユーザが入力した検索条件に対応する機器識別子リスト８１０を抽出した後、機器識別子リスト８１０に含まれた各機器識別子の格納回数を示す統計値１２００を算出してよい。ソーシャル識別子取得部３２０は、機器識別子リスト８１０全体をサーバ１５０に伝達するか、あるいは統計値１２００に基づいて機器識別子リスト８１０のうちの一定の条件（例えば、３回以上）に対応する少なくとも一部の機器識別子リストを伝達してよい。
【００６７】
サーバ１５０は、識別子マッチングテーブル７００から、電子機器１１０から伝達された機器識別子リストに含まれた各機器識別子に対応するソーシャル識別子を検出するが、電子機器１１０のユーザが事前に設定した友達範囲のＳＮＳ関係に対応するソーシャル識別子を選別して電子機器１１０に提供してよい。
【００６８】
図１３は、本発明の一実施形態における、ソーシャル識別子を提供する過程を説明するための他の例示図である。
【００６９】
図１３を参照すると、ソーシャル識別子提供部３３０は、サーバ１５０から取得したソーシャル識別子を、各ソーシャル識別子に対応する機器識別子に対する統計値１２００を基準に整列した検索結果画面１３００を提供してよい。ソーシャル識別子提供部３３０は、電子機器１１０のユーザが検索した条件に電子機器１１０のユーザの近くにいた知人に関する統計情報、例えば、特定の日付や場所に最も多く会った知人、日中時間に最も頻繁に会った知人などを検索結果画面１３００に表示してよい。
【００７０】
ソーシャル識別子提供部３３０は、電子機器１１０のユーザが検索結果画面１３００から少なくとも１つのソーシャル識別子を選択する場合、図１３に示すように、提供可能な機能やサービスを含んだメニューリスト１３１０を提供してよく、メニューリスト１３１０からのメニュー選択により、電子機器１１０のユーザが選択したソーシャル識別子をチャットルーム生成、友達追加、送金などに利用してよい。
【００７１】
このように、本発明の実施形態によると、近距離無線通信とＳＮＳ関係を利用して過去に近くにいた知人を把握することができ、これを利用して多様な機能やサービスを提供することができる。
【００７２】
上述した装置は、ハードウェア構成要素、ソフトウェア構成要素、および／またはハードウェア構成要素とソフトウェア構成要素との組み合わせによって実現されてよい。例えば、実施形態で説明された装置および構成要素は、プロセッサ、コントローラ、ＡＬＵ（ａｒｉｔｈｍｅｔｉｃ  ｌｏｇｉｃ  ｕｎｉｔ）、デジタル信号プロセッサ、マイクロコンピュータ、ＦＰＧＡ（ｆｉｅｌｄ  ｐｒｏｇｒａｍｍａｂｌｅ  ｇａｔｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して応答することができる様々な装置のように、１つ以上の汎用コンピュータまたは特殊目的コンピュータを利用して実現されてよい。処理装置は、オペレーティングシステム（ＯＳ）およびＯＳ上で実行される１つ以上のソフトウェアアプリケーションを実行してよい。また、処理装置は、ソフトウェアの実行に応答し、データにアクセスし、データを記録、操作、処理、および生成してもよい。理解の便宜のために、１つの処理装置が使用されるとして説明される場合もあるが、当業者は、処理装置が複数個の処理要素および／または複数種類の処理要素を含んでもよいことが理解できるであろう。例えば、処理装置は、複数個のプロセッサまたは１つのプロセッサおよび１つのコントローラを含んでよい。また、並列プロセッサのような、他の処理構成も可能である。
【００７３】
ソフトウェアは、コンピュータプログラム、コード、命令、またはこれらのうちの１つ以上の組み合わせを含んでもよく、思うままに動作するように処理装置を構成したり、独立的または集合的に処理装置に命令したりしてよい。ソフトウェアおよび／またはデータは、処理装置に基づいて解釈されたり、処理装置に命令またはデータを提供したりするために、いかなる種類の機械、コンポーネント、物理装置、コンピュータ記録媒体または装置に具現化されてよい。ソフトウェアは、ネットワークによって接続されたコンピュータシステム上に分散され、分散された状態で記録されても実行されてもよい。ソフトウェアおよびデータは、１つ以上のコンピュータ読み取り可能な記録媒体に記録されてよい。
【００７４】
実施形態に係る方法は、多様なコンピュータ手段によって実行可能なプログラム命令の形態で実現されてコンピュータ読み取り可能な媒体に記録されてよい。ここで、媒体は、コンピュータ実行可能なプログラムを継続して記録するものであっても、実行またはダウンロードのために一時記録するものであってもよい。また、媒体は、単一または複数のハードウェアが結合した形態の多様な記録手段または格納手段であってよく、あるコンピュータシステムに直接接続する媒体に限定されることはなく、ネットワーク上に分散して存在するものであってもよい。媒体の例は、ハードディスク、フロッピー（登録商標）ディスク、および磁気テープのような磁気媒体、ＣＤ−ＲＯＭおよびＤＶＤのような光媒体、フロプティカルディスク（ｆｌｏｐｔｉｃａｌ  ｄｉｓｋ）のような光磁気媒体、およびＲＯＭ、ＲＡＭ、フラッシュメモリなどを含み、プログラム命令が記録されるように構成されたものであってよい。また、媒体の他の例として、アプリケーションを配布するアプリケーションストアやその他の多様なソフトウェアを供給または配布するサイト、サーバなどで管理する記録媒体または格納媒体が挙げられる。
【００７５】
以上のように、実施形態を、限定された実施形態および図面に基づいて説明したが、当業者であれば、上述した記載から多様な修正および変形が可能であろう。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
【００７６】
したがって、異なる実施形態であっても、特許請求の範囲と均等なものであれば、添付される特許請求の範囲に属する。
【図１】
2021532441.tif 000003
【図２】
2021532441.tif 000004
【図３】
2021532441.tif 000005
【図４】
2021532441.tif 000006
【図５】
2021532441.tif 000007
【図６】
2021532441.tif 000008
【図７】
2021532441.tif 000009
【図８】
2021532441.tif 000010
【図９】
2021532441.tif 000011
【図１０】
2021532441.tif 000012
【図１１】
2021532441.tif 000013
【図１２】
2021532441.tif 000014
【図１３】
2021532441.tif 000015
【国際調査報告】
2021532441.tif 000016
2021532441.tif 000017
2021532441.tif 000018
2021532441.tif 000019